(57)【要約】【課題】フェライト同士が接触することを抑制する。【解決手段】コネクタ１１０は、複数のフェライト１１４と、前記複数のフェライト１１４を第１方向から個別に収容可能な複数の収容部１３９を有するハウジング１１６と、を備えるコネクタ１１０であって、前記複数の収容部１３９は、前記第１方向と交差する第２方向に並んで配されており、前記第２方向について隣り合う収容部１３９の間には、２つの中間壁１３８が、前記第１方向及び前記第２方向と交差する第３方向についてスペースＳを空けて配されている。【選択図】図１３
2020095933.tif 000002
【特許請求の範囲】
【請求項１】
複数のフェライトと、前記複数のフェライトを第１方向から個別に収容可能な複数の収容部を有するハウジングと、を備えるコネクタであって、
前記複数の収容部は、前記第１方向と交差する第２方向に並んで配されており、
前記第２方向について隣り合う収容部の間には、２つの中間壁が、前記第１方向及び前記第２方向と交差する第３方向についてスペースを空けて配されているコネクタ。
【請求項２】
前記複数の収容部のそれぞれは、前記第２方向に沿って延びる２つの保持壁を有し、
前記２つの保持壁のそれぞれは弾性変形可能な弾性保持部を有し、前記弾性保持部に挟まれることにより前記フェライトが前記収容部内に保持されるようになっている、請求項１に記載のコネクタ。
【請求項３】
複数の接続部と、前記複数の接続部を連結する連結部と、を有するジョイント端子を備え、
前記複数の収容部のそれぞれは、前記第１方向と交差する底壁を有し、
前記底壁には、前記第２方向に沿って延びるとともに前記連結部が収容される収容溝が、前記中間壁の前記スペースに対応する位置に設けられている請求項２に記載のコネクタ。
【請求項４】
前記２つの中間壁のうち、前記第１方向について前記底壁と反対側の端縁は、前記コネクタのうち前記底壁と反対側の端縁と同じ高さ位置、または前記反対側の端縁よりも高い位置に配されている、請求項３に記載のコネクタ。
【請求項５】
前記２つの中間壁の一方は、前記２つの保持壁の一方と連なっており、かつ、前記第３方向に沿って延びるとともに、前記２つの中間壁の他方は、前記２つの保持壁の他方と連なっており、かつ、前記第３方向に沿って延びている請求項２から請求項４のいずれか１項に記載のコネクタ。
【請求項６】
前記複数のフェライトのそれぞれは外周側面の四隅に丸みを帯びた角部を有し、
前記収容部は、
前記フェライトが載置される底壁部と、
前記フェライトの４つの前記角部と対向する４つの対向壁部と、
前記フェライトを前記収容部内に保持する突起部と、を備え、
前記突起部は、４つの前記対向壁部のうち、少なくとも１つの前記対向壁部に突設されており、
前記フェライトの前記角部は、前記フェライトが前記収容部内に収容される際、前記突起部に付勢され、前記フェライトが前記収容部内に収容された状態においては、前記突起部に付勢されておらず、且つ、前記突起部に前記第１方向から当接可能に位置している請求項１に記載のコネクタ。
【請求項７】
前記突起部は、４つの前記対向壁部の全てに設けられている請求項６に記載のコネクタ。
【請求項８】
前記収容部は、前記第１方向に開口しており、前記第１方向と交差する第２方向に長い箱状をなし、
複数の前記フェライトは、前記収容部の前記底壁部に前記第２方向に並べて配されており、
前記収容部は、前記第１方向及び前記第２方向と交差する第３方向に対向する第１内壁及び第２内壁をさらに備えており、
前記第１内壁側の前記対向壁部とこれに対向する前記第２内壁側の前記対向壁部とは繋がっていない請求項６又は請求項７に記載のコネクタ。
【発明の詳細な説明】
【技術分野】
【０００１】
本明細書によって開示される技術は、コネクタに関する。
【背景技術】
【０００２】
従来のコネクタの一例として、下記特許文献１に記載のコネクタが知られている。このコネクタは、複数の相手方コネクタとそれぞれ嵌合するための複数のコネクタ嵌合部が設けられたハウジングと、各コネクタ嵌合部内に突出するように前記ハウジングに取り付けられた複数の端子と、コネクタ嵌合部ごとに設けられた複数のフェライトにより構成されるノイズ除去手段と、を備えている。
【０００３】
ハウジングには、複数の枠が設けられており、複数のフェライトは、ハウジングのそれぞれの枠内に位置しており、ハウジングに設けられた一対の付勢アームによりハウジングに保持されている。一対の付勢アームに設けられた２つの突出部によって、フェライトの四隅が保持されている。
【先行技術文献】
【特許文献】
【０００４】
【特許文献１】特開２０１２−０６９２７０号公報
【発明の概要】
【発明が解決しようとする課題】
【０００５】
特許文献１ではフェライトの四隅が付勢アームに保持されているので、隣り合うフェライト同士が振動等によって接触することが懸念される。
【課題を解決するための手段】
【０００６】
本開示のコネクタは、複数のフェライトと、前記複数のフェライトを第１方向から個別に収容可能な複数の収容部を有するハウジングと、を備えるコネクタであって、前記複数の収容部は、前記第１方向と交差する第２方向に並んで配されており、前記第２方向について隣り合う収容部の間には、２つの中間壁が、前記第１方向及び前記第２方向と交差する第３方向についてスペースを空けて配されている。
【発明の効果】
【０００７】
本明細書に開示されるコネクタによれば、フェライト同士が接触することを抑制できる。
【図面の簡単な説明】
【０００８】
【図１】図１は、実施形態１におけるコネクタの斜視図である。
【図２】図２は、コネクタの分解斜視図である。
【図３】図３は、フェライトが収容された状態におけるインナーハウジングの斜視図である。
【図４】図４は、図３におけるフェライト付近の拡大図である。
【図５】図５は、フェライトが収容された状態におけるインナーハウジングの平面図である。
【図６】図６は、図５におけるフェライト付近の拡大図である。
【図７】図７は、図６におけるＡ−Ａ断面図である。
【図８】図８は、図７における突起部付近の拡大図である。
【図９】図９は、フェライトが収容されていない状態におけるインナーハウジングの斜視図である。
【図１０】図１０は、フェライトが収容されていない状態におけるインナーハウジングの平面図である。
【図１１】図１１は、実施形態２におけるコネクタの斜視図である。
【図１２】図１２は、コネクタの分解斜視図である。
【図１３】図１３は、２つのフェライトが収容された状態におけるインナーハウジングの斜視図である。
【図１４】図１４は、２つのフェライトが収容された状態におけるインナーハウジングの平面図である。
【図１５】図１５は、図１４におけるＢ−Ｂ断面図である。
【発明を実施するための形態】
【０００９】
＜実施形態１＞
［背景技術］
従来のコネクタの一例として、例えば、特開２０１２−０６９２７０号公報に記載のコネクタが知られている。このコネクタは、複数の相手方コネクタとそれぞれ嵌合するための複数のコネクタ嵌合部が設けられたハウジングと、各コネクタ嵌合部内に突出するように前記ハウジングに取り付けられた複数の端子と、コネクタ嵌合部ごとに設けられた複数のフェライトにより構成されるノイズ除去手段と、を備えている。
【００１０】
ハウジングには、複数の枠が設けられており、複数のフェライトは、ハウジングのそれぞれの枠内に位置しており、ハウジングに設けられた一対の付勢アームによりハウジングに保持されている。
【００１１】
ハウジングの付勢アームを成形するには、一般的にスライド金型構造が必要となる。また、付勢アームによりフェライトを保持すると、付勢アームがフェライトに弾性的に接触することにより、フェライトの特性が変化する虞がある。
【００１２】
［本開示の実施形態１の説明］
本開示の実施態様を列記して説明する。本開示のコネクタは、
（１）外周側面の四隅に丸みを帯びた角部を有する複数のフェライトと、前記複数のフェライトを第１方向から個別に収容可能な収容部を有するハウジングと、を備えるコネクタであって、前記収容部は、前記フェライトが載置される底壁部と、前記フェライトの４つの前記角部と対向する４つの対向壁部と、前記フェライトを前記収容部内に保持する突起部と、を備え、前記突起部は、４つの前記対向壁部のうち、少なくとも１つの前記対向壁部に突設されており、前記フェライトの前記角部は、前記収容部内に収容される際、前記突起部に付勢され、前記フェライトが前記収容部内に収容された状態においては、前記突起部に付勢されておらず、且つ、前記突起部に前記第１方向から当接可能に位置している。
【００１３】
フェライトが収容部内に収容されると、フェライトの角部は、突起部に第１方向から当接可能に位置しているため、フェライトが収容部から第１方向に抜けようとすると、フェライトの角部が突起部に当接することで、フェライトが第１方向に抜けることが抑制され、フェライトを収容部内に保持することができる。これにより、従来では、付勢アームがフェライトに弾性的に接触することで、フェライトを収容部内に保持する構成としていたが、上記構成では、付勢アームを用いることなく、フェライトを収容部内に保持することができる。また、フェライトは、収容部内に収容された状態においては、フェライトの角部は、突起部に付勢されていないことから、フェライトの特性が変化することを抑制することができる。
【００１４】
（２）前記突起部は、４つの前記対向壁部の全てに設けられていることが好ましい。
【００１５】
４つの対向壁部の全てに突起部を設けることで、１つの対向壁部のみに突起部が設けられている構成と比較して、さらにフェライトが収容部から抜け難くすることができる。
【００１６】
（３）前記収容部は、前記第１方向に開口しており、前記第１方向と交差する第２方向に長い箱状をなし、複数の前記フェライトは、前記収容部の前記底壁部に前記第２方向に並べて配されており、前記収容部は、前記第１方向及び前記第２方向と交差する第３方向に対向する第１内壁及び第２内壁をさらに備えており、前記第１内壁側の前記対向壁部とこれに対向する前記第２内壁側の前記対向壁部とは繋がっていないことが好ましい。
【００１７】
第３方向に対向する一対の対向壁部は繋がっていないことから、対向壁部同士が繋がっており、隣り合う一対のフェライト間が対向壁部によって仕切られている構成と比較して、ハウジングを第２方向に小型化できる。
【００１８】
［本開示の実施形態１の詳細］
本開示の実施形態１におけるコネクタ１０を、以下に図面（図１から図１０）を参照しつつ説明する。なお、本開示はこれらの例示に限定されるものではなく、特許請求の範囲によって示され、特許請求の範囲と均等の意味および範囲内でのすべての変更が含まれることが意図される。以降の説明では、図１から図１０に示すＸ方向を前後方向（第３方向）の前方、Ｙ方向を左右方向（第２方向）の右方、Ｚ方向を上下方向（第１方向）の上方とする。
【００１９】
実施形態１のコネクタ１０は、車両に使用される多重通信用のジョイントコネクタであって、図２に示すように、２つのジョイント端子１２と、ノイズ低減用の複数（６つ）のフェライト１４と、ハウジング１６と、から構成されている。
【００２０】
ジョイント端子１２は、導電性金属により構成されており、図２に示すように、上方に突出する棒状をなす複数（６つ）の端子本体部１８と、左右方向に長い形状をなし、複数の端子本体部１８の下端側を互いに連結する連結部２０と、から構成されている。
【００２１】
フェライト１４は、図５、図６に示すように、方形状をなしており、上下の面に貫通して設けられた２つの挿通孔２２と、外周側面２４の四隅に設けられた丸みを帯びた角部２４Ａと、から構成されている。
【００２２】
ハウジング１６は、図２に示すように、左右方向に長い箱状をなしており、上方に開口する開口部２６を有するインナーハウジング（収容部）１６Ａと、インナーハウジング１６Ａが収容されるアウターハウジング１６Ｂとから構成される。インナーハウジング１６Ａの内部には、図５に示すように、複数のフェライト１４が個別に収容されている。
【００２３】
インナーハウジング１６Ａは、図３、図５に示すように、左右方向に長い形状をなし、複数のフェライト１４が左右方向に並べて載置される底壁部２８と、底壁部２８の前端部から上方に突出する第１内壁３０と、底壁部２８の後端部から上方に突出し、第１内壁３０と前後方向に対向する第２内壁３２と、底壁部２８の左右両端部から上方に突出し、左右方向に互いに対向する一対の第３内壁３４と、を備えている。
【００２４】
底壁部２８には、図９、図１０に示すように、左右方向に長い溝部２８Ａが、前後一対設けられており、一対の溝部２８Ａの内壁には、２つのジョイント端子１２の連結部２０がそれぞれ圧入されて保持されている。
【００２５】
図３、図５に示すように、第１内壁３０には、左右方向に隣り合う一対のフェライト１４の間に向けて突出し、隣り合う一対のフェライト１４間を仕切る第１仕切り部３８が後方に突出して設けられている。一方、第２内壁３２には、左右方向に隣り合う一対のフェライト１４間に向けて突出し、隣り合う一対のフェライト１４間を仕切る第２仕切り部４０が前方に突出して設けられている。第１仕切り部３８と第２仕切り部４０は、いずれも左右方向に所定の間隔を空けて複数設けられている。各第１仕切り部３８と各第２仕切り部４０は、前後方向に対向する配置とされている。
【００２６】
インナーハウジング１６Ａの内部には、図３、図５に示すように、複数のフェライト１４のそれぞれの四隅の角部２４Ａと対向する４つの対向壁部３６が設けられている。対向壁部３６は、第１仕切り部３８、及び、第２仕切り部４０のそれぞれのフェライト１４の角部２４Ａと対向する位置（インナーハウジング１６Ａ内の四隅の位置であって、フェライト１４の角部２４Ａと対向する位置）にそれぞれ設けられている。
【００２７】
図３、図５に示すように、前後方向に対向する第１仕切り部３８（及び、第１仕切り部３８に設けられた対向壁部３６）、及び、第２仕切り部４０（及び、第２仕切り部４０に設けられた対向壁部３６）は互いに繋がっておらず、隣り合うフェライト１４の収容空間は左右方向に連通している。これにより、隣り合う一対のフェライト１４間が対向壁部によって仕切られている構成と比較して、ハウジング１６を左右方向に小型化できる。
【００２８】
図３、図５に示すように、それぞれの対向壁部３６の上部には、突起部４２が突設されており、突起部４２には、インナーハウジング１６Ａの開口部２６の開口縁に向けて傾斜するテーパー部４２Ａが設けられている（図４参照）。
【００２９】
フェライト１４は、開口部２６からインナーハウジング１６Ａの内部に収容される。フェライト１４を収容する際は、フェライト１４の四隅の角部２４Ａが、それぞれの角部２４Ａに対向する対向壁部３６に設けられた４つの突起部４２に付勢されつつ、圧入気味にインナーハウジング１６Ａの内部に収容される。このとき、突起部４２には、インナーハウジング１６Ａの開口縁に向けて傾斜するテーパー部４２Ａが設けられているため、フェライト１４の角部２４Ａがテーパー部４２Ａと摺動しつつ、フェライト１４は、インナーハウジング１６Ａの内部に誘い込まれるため、フェライト１４の収容がし易くなっている。
【００３０】
フェライト１４がインナーハウジング１６Ａの内部に収容されると、フェライト１４の２つの挿通孔２２には、異なるジョイント端子１２の端子本体部１８がそれぞれ挿通される。このとき、図７、図８に示すように、突起部４２は、フェライト１４の上面よりも僅かに上方に位置しており、フェライト１４は、突起部４２に付勢されていない状態でインナーハウジング１６Ａの内部に収容される。これにより、従来のように、付勢アームに付勢された状態でフェライトがインナーハウジングの内部に収容される構成と比較して、フェライト１４の特性が変化することを抑制することができる。
【００３１】
図７、図８に示すように、フェライト１４がインナーハウジング１６Ａの内部に収容された状態では、フェライト１４の角部２４Ａは、突起部４２に下方から当接可能に位置しており、フェライト１４がインナーハウジング１６Ａの内部から抜けようとすると、フェライト１４の角部２４Ａが突起部４２に下方から当接することで、フェライト１４が上方に抜けることが抑制され、フェライト１４をインナーハウジング１６Ａの内部に保持することができる。また、フェライト１４は４つの突起部４２によりインナーハウジング１６Ａの内部に保持されていることから、フェライト１４の角部２４Ａと対向する４つの対向壁部３６のうち、１つの対向壁部３６にのみ突起部４２が設けられている構成と比較して、フェライト１４がインナーハウジング１６Ａの内部から抜け難くすることができる。
【００３２】
以上のように実施形態１によれば、フェライト１４がインナーハウジング（収容部）１６Ａ内に収容されると、フェライト１４の角部２４Ａは、突起部４２に上下方向（第１方向）から当接可能に位置しているため、フェライト１４がインナーハウジング（収容部）１６Ａから上下方向（第１方向）に抜けようとすると、フェライト１４が突起部４２に当接することで、フェライト１４が上下方向（第１方向）に抜けることが抑制され、フェライト１４をインナーハウジング（収容部）１６Ａ内に保持することができる。これにより、従来では、付勢アームがフェライトに弾性的に接触することで、フェライトをインナーハウジング内に保持する構成としていたが、上記構成では、付勢アームを用いることなく、フェライト１４をインナーハウジング（収容部）１６Ａ内に保持することができる。また、フェライト１４は、インナーハウジング（収容部）１６Ａ内に収容された状態においては、フェライト１４の角部２４Ａは、突起部４２に付勢されていないことから、フェライト１４の特性が変化することを抑制することができる。
【００３３】
また、突起部４２は、４つの対向壁部３６の全てに設けられている構成としても良い。４つの対向壁部３６の全てに突起部４２を設けることで、１つの対向壁部３６のみに突起部４２が設けられている構成と比較して、さらにフェライト１４がインナーハウジング（収容部）１６Ａから抜け難くすることができる。
【００３４】
また、インナーハウジング（収容部）１６Ａは、上下方向（第１方向）に開口しており、上下方向（第１方向）と交差する左右方向（第２方向）に長い箱状をなし、複数のフェライト１４は、インナーハウジング（収容部）１６Ａの底壁部２８に左右方向（第２方向）に並べて配されており、インナーハウジング（収容部）１６Ａは、上下方向（第１方向）及び左右方向（第２方向）と交差する前後方向（第３方向）に対向する第１内壁３０及び第２内壁３２をさらに備えており、第１内壁３０側の対向壁部３６とこれに対向する第２内壁３２側の対向壁部３６とは繋がっていない構成としても良い。前後方向（第３方向）に対向する一対の対向壁部３６は繋がっていないことから、対向壁部同士が繋がっており、隣り合う一対のフェライト１４間が対向壁部によって仕切られている構成と比較して、ハウジング１６を左右方向（第２方向）に小型化できる。
【００３５】
＜実施形態２＞
［本開示の実施形態２の説明］
本開示の実施形態２における実施態様を列記して説明する。本開示のコネクタは、
（１）複数のフェライトと、前記複数のフェライトを第１方向から個別に収容可能な複数の収容部を有するハウジングと、を備えるコネクタであって、前記複数の収容部は、前記第１方向と交差する第２方向に並んで配されており、前記第２方向について隣り合う収容部の間には、２つの中間壁が、前記第１方向及び前記第２方向と交差する第３方向についてスペースを空けて配されている。
【００３６】
中間壁によって、隣り合う収容部に配されたフェライト同士が互いに隔てられた状態で収容部内に収容することができる。これにより、振動等によってフェライト同士が接触することによる不具合を抑制できる。さらに、２つの中間壁が第３方向についてスペースを空けて配されているので、２つの中間壁が繋がっている場合と比較して第３方向についてコネクタを小型化できるとともに、コネクタを軽量化できる。
【００３７】
（２）前記複数の収容部のそれぞれは、前記第２方向に沿って延びる２つの保持壁を有し、前記２つの保持壁のそれぞれは弾性変形可能な弾性保持部を有し、前記弾性保持部に挟まれることにより前記フェライトが前記収容部内に保持されるようになっていることが好ましい。
【００３８】
弾性保持部によって挟まれることにより、フェライトを収容部内に保持することができる。また、弾性保持部が中間壁に設けられた場合、弾性保持部の撓み代を第２方向に沿って設けることになるので、コネクタが第２方向に大型化するおそれがあるが、本開示においては弾性保持部が第２方向に沿って延びる保持壁に設けられているので、コネクタが第２方向に大型化することを抑制できる。
【００３９】
（３）複数の接続部と、前記複数の接続部を連結する連結部と、を有するジョイント端子を備え、前記複数の収容部のそれぞれは、前記第１方向と交差する底壁を有し、前記底壁には、前記第２方向に沿って延びるとともに前記連結部が収容される収容溝が、前記中間壁の前記スペースに対応する位置に設けられていることが好ましい。
【００４０】
中間壁のスペースに対応する位置に収容溝が設けられているので、ジョイント端子を第１方向から収容溝内に収容することができる。これにより、ジョイント端子とフェライトとを同じ方向から収容部内に収容できるので、コネクタの組立作業の効率化を図れる。また、連結部が収容溝の底面に当たることから、ジョイント端子を第１方向について後方から抜け止めするリアカバーが不要となるので、コネクタの部品点数を削減できる。
【００４１】
（４）前記２つの中間壁のうち、前記第１方向について前記底壁と反対側の端縁は、前記コネクタのうち前記底壁と反対側の端縁と同じ高さ位置、または前記反対側の端縁よりも高い位置に配されていることが好ましい。
【００４２】
ジョイント端子を第１方向から収容溝内に収容させる際に、中間壁のうち第１方向について底壁と反対側の端縁と、ジョイント端子とを摺接させることにより、ジョイント端子が収容溝内に案内される。これにより、コネクタの製造工程を効率化できる。さらに、フェライトを第１方向から収容部内に収容させる際にも、中間壁のうち第１方向について底壁と反対側の端縁と、フェライトとを摺接させることにより、フェライトが収容部内に案内される。これにより、コネクタの製造工程をさらに効率化できる。
【００４３】
（５）前記２つの中間壁の一方は、前記２つの保持壁の一方と連なっており、かつ、前記第３方向に沿って延びるとともに、前記２つの中間壁の他方は、前記２つの保持壁の他方と連なっており、かつ、前記第３方向に沿って延びていることが好ましい。
【００４４】
中間壁が保持壁と離れている場合に比べて、中間壁の強度を向上させることができる。これにより、隣り合う収容部に配されたフェライト同士が接触することを、さらに抑制できる。
【００４５】
［本開示の実施形態２の詳細］
本開示の実施形態２におけるコネクタ１１０を、以下に図面（図１１から図１５）を参照しつつ説明する。以降の説明では、実施形態１と同様、図１１から図１５に示すＸ方向を前後方向（第３方向）の前方、Ｙ方向を左右方向（第２方向）の右方、Ｚ方向を上下方向（第１方向）の上方とする。
【００４６】
[コネクタ１１０]
図１２に示すように、コネクタ１１０は、２つのジョイント端子１１２と、ノイズ低減用の複数（４つ）のフェライト１１４と、ハウジング１１６と、を備えて構成されている。
【００４７】
[ジョイント端子１１２]
ジョイント端子１１２は、導電性金属により構成されている。図１２に示すように、ジョイント端子１１２は、４つの端子本体部（接続部）１１８と、連結部１２０と、を備えて構成されている。端子本体部１１８は、上方に突出する棒状をなしている。連結部１２０は、左右方向に長い形状をなし、複数の端子本体部１１８の下端部と連なっている。これにより、複数の端子本体部１１８は連結され、互いに電気的に接続されている。
【００４８】
[フェライト１１４]
図１２に示すように、フェライト１１４は、角が丸められた直方体状をなしている。フェライト１１４の上下の面には、２つの挿通孔１２２が貫通して設けられている。挿通孔１２２には、ジョイント端子１１２の端子本体部１１８が下方から挿通される。
【００４９】
[ハウジング１１６]
図１２に示すように、ハウジング１１６は、インナーハウジング１１６Ａと、アウターハウジング１１６Ｂと、を備えて構成されている。
【００５０】
[インナーハウジング１１６Ａ]
図１２に示すように、インナーハウジング１１６Ａは、上方に開口する開口部１２６を有しており、左右方向に長い箱状をなしている。インナーハウジング１１６Ａは、底壁１２８と、底壁１２８の外周縁から上方に延びる周壁１２９と、複数の中間壁１３８と、を備えて構成されている。図１２から図１４に示すように、４つのフェライト１１４および２つのジョイント端子１１２は、開口部１２６からインナーハウジング１１６Ａの内部に収容される（図１３、図１４においては、２つのフェライト１１４のみ図示）。
【００５１】
[収容部１３９]
図１２に示すように、周壁１２９、底壁１２８、および、中間壁１３８によって、インナーハウジング１１６Ａ内には、４つの収容部１３９が形成されている。４つの収容部１３９は、左右方向に並んで配されている。４つの収容部１３９には、４つのフェライト１１４が個別に収容される。各収容部１３９の内形状は、上方から見て前後方向に延びる長方形状をなしており、各フェライト１１４の外形状と同じか、やや大きく形成されている。
【００５２】
[周壁１２９]
図１２に示すように、周壁１２９の上端部は、インナーハウジング１１６Ａの開口部１２６の開口縁１２６Ａとなっている。
【００５３】
[保持壁１３０、弾性保持部１３１]
図１２に示すように、周壁１２９のうち、各収容部１３９の前側および後側に位置する部分は、それぞれ弾性保持部１３１が設けられた保持壁１３０とされる。
【００５４】
図１２から図１４に示すように、複数の弾性保持部１３１は、フェライト１１４の側面と対応する位置にそれぞれ設けられている。弾性保持部１３１は、前後方向について弾性変形可能となっている。図１５に示すように、前後の弾性保持部１３１がフェライト１１４を前後方向から挟むことによって、フェライト１１４は収容部１３９内に保持されている。左右方向に沿って延びる保持壁１３０に弾性保持部１３１を設けることによって、例えば、弾性保持部１３１が後述する中間壁１３８に設けられる構成と比較して、コネクタ１１０が左右方向に大型化することを抑制できる。
【００５５】
[中間壁１３８]
図１２から図１４に示すように、中間壁１３８は、保持壁１３０にそれぞれ連なって設けられている。保持壁１３０のうち、前方（一方）の保持壁１３０Ａに設けられている中間壁１３８Ａは、フェライト１１４が収容されている状態において、前方の保持壁１３０Ａから、隣り合うフェライト１１４の間に向けて延びている（図１３、図１４における図示右端の中間壁１３８Ａを参照）。また、後方（他方）の保持壁１３０Ｂに設けられている中間壁１３８Ｂは、後方の保持壁１３０Ｂから、隣り合うフェライト１１４の間に向けて延びている（図１３、図１４における図示右端の中間壁１３８Ｂを参照）。図１３、図１４に示すように、中間壁１３８Ａと中間壁１３８Ｂとは、前後方向についてスペースＳが空けられている。
【００５６】
図１２から図１４に示すように、中間壁１３８は、隣り合う収容部１３９の間に位置している。隣り合う収容部１３９に配されたフェライト１１４同士は、中間壁１３８によって互いに隔てられ、収容部１３９内に収容されている。これにより、振動等によってフェライト１１４同士が接触することによる不具合を抑制できる。さらに、２つの中間壁１３８が前後方向についてスペースＳを空けて配されているので、２つの中間壁１３８が繋がっている場合と比較して前後方向についてコネクタ１１０を小型化できるとともに、コネクタ１１０を軽量化できる。また、中間壁１３８が保持壁１３０に連なっていることで、中間壁が保持壁と離れている場合に比べて、中間壁１３８の強度を向上させることができる。これにより、隣り合う収容部１３９に配されたフェライト１１４同士が接触することを、さらに抑制できる。
【００５７】
[底壁１２８、収容溝１２８Ａ]
図１２、図１３に示すように、底壁１２８は、周壁１２９の下部に設けられている。底壁１２８には、２つの収容溝１２８Ａが設けられている。収容溝１２８Ａは、左右方向に沿って延びている。収容溝１２８Ａには、ジョイント端子１１２の連結部１２０が圧入により収容されている。フェライト１１４は、ジョイント端子１１２が収容溝１２８Ａに収容された状態で、収容部１３９に収容される。フェライト１１４が収容部１３９に収容されると、フェライト１１４は底壁１２８に載置される。
【００５８】
図１３、図１４に示すように、収容溝１２８Ａは、中間壁１３８のスペースＳに対応する位置に設けられている。これにより、ジョイント端子１１２を上方の開口部１２６から収容溝１２８Ａ内に収容することができる。したがって、ジョイント端子１１２とフェライト１１４とを同じ方向（開口部１２６側）から収容部１３９内に収容できるので、たとえば、フェライトをインナーハウジングの上方から収容し、ジョイント端子をインナーハウジングの下方から収容する構成と比較して、コネクタ１１０の組立作業の効率化を図れる。また、ジョイント端子をインナーハウジングの下方から収容する構成の場合、一般的に、ジョイント端子を下方から抜け止めするためのリアカバーが必要となる。しかし、実施形態２においては、連結部１２０が収容溝１２８Ａの底面に当たることから、ジョイント端子１１２を下方から抜け止めするリアカバーが不要となる。したがって、コネクタ１１０の部品点数を削減できる。
【００５９】
図１３に示すように、中間壁１３８（中間壁１３８Ａ、中間壁１３８Ｂ）の高さ位置Ｔ１と、開口縁１２６Ａの高さ位置Ｔ２（すなわち、底壁１２８の反対側の端縁の高さ位置）とは、同じ高さ位置となっている。これにより、ジョイント端子１１２を上方から収容溝１２８Ａ内に収容させる際に、中間壁１３８の上端縁と、ジョイント端子１１２とを摺接させることにより、ジョイント端子１１２が収容溝１２８Ａ内に案内される。したがって、コネクタ１１０の製造工程を効率化できる。さらに、フェライト１１４を上から収容部１３９内に収容させる際にも、中間壁１３８の上端縁と、フェライト１１４とを摺接させることにより、フェライト１１４が収容部１３９内に案内される。これにより、コネクタ１１０の製造工程をさらに効率化できる。
【００６０】
＜他の実施形態＞
本明細書によって開示される技術は上記記述及び図面によって説明した実施形態に限定されるものではなく、例えば次のような種々の態様も含まれる。
【００６１】
（１）実施形態１では、突起部４２は、フェライト１４の四隅の角部２４Ａと対向する４つの対向壁部３６にそれぞれ設けられる構成としたが、いずれか１つの対向壁部にのみ設けられる構成としても良い。
【００６２】
（２）実施形態１では、前後方向に対向する第１仕切り部３８（及び、第１仕切り部３８に設けられた対向壁部３６）、及び、第２仕切り部４０（及び、第２仕切り部４０に設けられた対向壁部３６）は繋がっておらず、隣り合うフェライト１４の収容空間は左右方向に連通している構成としたが、第１仕切り部及び第２仕切り部が繋がっており、隣り合うフェライトの収容空間が連通していない構成としても良い。
【００６３】
（３）実施形態１では、インナーハウジング１６Ａには、６つのフェライト１４が収容される構成としたが、フェライトの数は、６つより少なくても多くても良い。また、実施形態２では、インナーハウジング１１６Ａには、４つのフェライト１１４が収容される構成としたが、フェライトの数は、４つより少なくても多くても良い。
【００６４】
（４）実施形態２では、中間壁１３８は、保持壁１３０と連なっている構成としたが、これに限られることはなく、例えば、中間壁は保持壁と連なっておらず、離れている構成としても良い。
【００６５】
（５）実施形態２では、中間壁１３８の高さ位置Ｔ１と、開口部１２６の開口縁１２６Ａの高さ位置Ｔ２は、同じ高さ位置である構成としたが、これに限られることはなく、例えば、中間壁の高さ位置は、開口部の開口縁の高さ位置よりも低い位置でも良いし、高い位置でも良い。
【符号の説明】
【００６６】
１０：  コネクタ
１２：  ジョイント端子
１４：  フェライト
１６：  ハウジング
１６Ａ：  インナーハウジング（収容部）
１６Ｂ：  アウターハウジング
１８：  端子本体部
２０：  連結部
２２：  挿通孔
２４：  外周側面
２４Ａ：  角部
２６：  開口部
２８：  底壁部
２８Ａ：  溝部
３０：  第１内壁
３２：  第２内壁
３４：  第３内壁
３６：  対向壁部
３８：  第１仕切り部
４０：  第２仕切り部
４２：  突起部
４２Ａ：  テーパー部
１１０：  コネクタ
１１２：  ジョイント端子
１１４：  フェライト
１１６：  ハウジング
１１６Ａ：  インナーハウジング
１１６Ｂ：  アウターハウジング
１１８：  端子本体部（接続部）
１２０：  連結部
１２２：  挿通孔
１２６：  開口部
１２６Ａ：  開口縁
１２８：  底壁
１２８Ａ：  収容溝
１２９：  周壁
１３０：  保持壁
１３０Ａ：  保持壁
１３０Ｂ：  保持壁
１３１：  弾性保持部
１３８、１３８Ａ、１３８Ｂ：  中間壁
１３９：  収容部
Ｓ：  スペース
Ｔ１：  高さ位置
Ｔ２：  高さ位置
【図１】
2020095933.tif 000003
【図２】
2020095933.tif 000004
【図３】
2020095933.tif 000005
【図４】
2020095933.tif 000006
【図５】
2020095933.tif 000007
【図６】
2020095933.tif 000008
【図７】
2020095933.tif 000009
【図８】
2020095933.tif 000010
【図９】
2020095933.tif 000011
【図１０】
2020095933.tif 000012
【図１１】
2020095933.tif 000013
【図１２】
2020095933.tif 000014
【図１３】
2020095933.tif 000015
【図１４】
2020095933.tif 000016
【図１５】
2020095933.tif 000017